(57)【要約】【課題】ケーシングを有しない遠心ファンの風量特性や騒音特性を悪化させることを防ぐことができることを目的とする。【解決手段】本体１の外郭面１３に外側面凹部１４を設け、外側面凹部１４を可動しながら天井に本体１を固定する取付金具１２を設け、外側面凹部１４によりできた内側面凸部１９に対し、内側面凸部１９の下方へ向かって傾斜させた内側面傾斜部２０を設けたという構成にしたことにより、ターボファン７から吐出させる風が本体内側面に沿いながら流れ、その風が内側面傾斜部２０に沿って下方へ流れるので、本体１を固定する取付金具１２の取付部としての凸部である内側面凸部１９によりケーシングを有しないターボファン７の風量特性や騒音特性を悪化させることを防ぐことができるイオン発生装置を得られる。【選択図】図３
2014198227.tif 000002
【特許請求の範囲】
【請求項１】
天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとオリフィスとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、前記本体の外郭面に外側面凹部を設け、前記外側面凹部を可動しながら前記天井に前記本体を固定する取付金具を設け、前記外側面凹部によりできた内側面凸部に対し、前記内側面凸部の下方へ向かって傾斜させた内側面傾斜部を設けたことを特徴とするイオン発生装置。
【請求項２】
静電霧化手段によって発生したイオンが本体内に設けられ遠心ファンから排出される空気に混流するためのイオン風路部を有し、前記イオン風路部の下方へ向かって傾斜させたイオン風路傾斜部を設けたことを特徴とするイオン発生装置。
【請求項３】
オリフィスに円筒状の整流板を設けたことを特徴とする請求項１に記載のイオン発生装置。
【請求項４】
円筒状の整流板の直径が電動機の直径よりも長いことを特徴とする請求項３に記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、空気中にイオンやラジカルなどの活性種（以後イオンと記載）を供給して空気中の菌を抑制したり（除菌）、空気中の臭いを分解して取り除く（脱臭）空気浄化を目的として開発され、一般家庭に広く普及している。ここで、天井への設置を目的とされたもの知られている（例えば、特許文献１参照）。
【０００３】
また、この種のイオン発生装置の固定方法には、換気や空調に用いられるダクト用換気扇やグリルなどの機器の取付けと同様に、天井面に設けた機器取付用の取付穴への挿入に支障をきたすことがなく、取付け面が破損しにくい形状のものが知られている（例えば、特許文献２参照）。
【０００４】
以下、そのイオン発生装置について図１０と図１１を参照しながら説明する。
【０００５】
図１０に示すように、本体１０１と、その下面に吸込口１０３と吹出口１０４を有するグリル１０２とを有し、本体１０１の内部には遠心ファン１０５と有し、本体１０１の内部にはイオンを発生する静電霧化装置１０６と、この静電霧化装置１０６によって生成されたイオンを排出するイオン排出口１０７を有している。
【０００６】
イオン排出口１０７からイオンは、吸込口１０３から吸い込まれた空気が吹出口１０４から吹き出される前に混ぜ合わせ、イオンを含んだ空気として吹出口１０４から吹き出される。
【０００７】
図１１に示すように、本体１０１の外周１０１ａに設けられた凹状の溝部１０８内に起立状態または横伏せ状態に傾倒自在に支持され、本体１０１の下側のフランジ１０９と天井１１０の室内面１１０ａが接し、室外面１１０ｂに圧接される押さえ金具１１１を揺動自在に配設した取付金具１１２を可動する可動体１１３を有した可動手段１１５を備え、取付金具１１２の支持手段１１４および可動手段１１５を奥壁部１１６内に有し、本体１０１の上面にはダクト接続部１１７と本体１０１の下面にはグリル１１８を有している。
【先行技術文献】
【特許文献】
【０００８】
【特許文献１】特開２０１１−２５３７８０号公報
【特許文献２】特開平１０−２４６４８６号公報
【発明の概要】
【発明が解決しようとする課題】
【０００９】
このような従来のイオン発生装置においては、本体を固定する取付金具の取付部によりケーシングを有しない遠心ファンの風量特性や騒音特性が悪化する、という課題を有していた。
【００１０】
そこで本発明は、上記従来の課題を解決するものであり、ケーシングを有しない遠心ファンの風量特性や騒音特性を悪化させることを防ぐことができるイオン発生装置を提供することを目的とする。
【課題を解決するための手段】
【００１１】
そして、この目的を達成するために、本発明は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、前記本体の外郭面に外側面凹部を設け、前記外側面凹部を可動しながら前記天井に前記本体を固定する取付金具を設け、前記外側面凹部によりできた内側面凸部に対し、前記内側面凸部の下方へ向かって傾斜させた内側面傾斜部を設けたとしたものであり、これにより所期の目的を達成するものである。
【発明の効果】
【００１２】
本発明によれば、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、前記本体の外郭面に外側面凹部を設け、前記外側面凹部を可動しながら前記天井に前記本体を固定する取付金具を設け、前記外側面凹部によりできた内側面凸部に対し、前記内側面凸部の下方へ向かって傾斜させた内側面傾斜部を設けた、という構成にしたことにより、遠心ファンから吐出させる風が本体内側面に沿いながら流れ、その風が内側面傾斜部に沿って下方へ流れることとなるので、本体を固定する取付金具の取付部によりケーシングを有しない遠心ファンの風量特性や騒音特性を悪化させることを防ぐことができる、という効果を得ることができる。
【図面の簡単な説明】
【００１３】
【図１】本発明の実施の形態１のイオン発生装置を天井に取付けた状態の側面断面図
【図２】同イオン発生装置の取付金具の構成を示した拡大図
【図３】同イオン発生装置の本体内部の主要部品の下方から見た斜視図
【図４】同イオン発生装置を天井に取付けた状態の正面断面図
【図５】同イオン発生装置の制御回路を示した分解斜視図
【図６】同イオン発生装置の制御回路を下方から見た斜視図
【図７】同イオン発生装置の制御回路ケースの固定構造を示す分解斜視図
【図８】同イオン発生装置の一部断面図
【図９】同イオン発生装置の本体内部の主要部品の下方から見た斜視図
【図１０】同イオン発生装置の整流板の斜視図
【図１１】同イオン発生装置に整流板を取り付けた状態を示す下方から見た斜視図
【図１２】従来のイオン発生装置の構成を示す分解斜視図
【図１３】同イオン発生装置の機器取り付け装置の側面断面図
【発明を実施するための形態】
【００１４】
本発明の請求項１記載のイオン発生装置は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流するイオン発生装置において、前記本体の外郭面に外側面凹部を設け、前記外側面凹部を可動しながら前記天井に前記本体を固定する取付金具を設け、前記外側面凹部によりできた内側面凸部に対し、前記内側面凸部の下方へ向かって傾斜させた内側面傾斜部を設けた、という構成を有する。
【００１５】
これにより、遠心ファンから吐出させる風が本体内側面に沿いながら流れ、その風が内側面傾斜部に沿って下方へ流れることとなるので、本体を固定する取付金具の取付部によりケーシングを有しない遠心ファンの風量特性や騒音特性を悪化させることを防ぐことができる、という効果を奏する。
【００１６】
また、静電霧化手段によって発生したイオンが本体内に設けられ遠心ファンから排出される空気に混流するためのイオン風路部を有し、前記イオン風路部の下方へ向かって傾斜させたイオン風路傾斜部を設けた、という構成にしてもよい。
【００１７】
これにより、遠心ファンから吐出させる風が本体内側面に沿いながら流れ、その風がイオン風路傾斜部に沿ってイオン風路部から吐出されるイオンを混ぜ下方へ流れることとなるので、イオン風路部によりケーシングを有しない遠心ファンの風量特性や騒音特性を悪化させずに誘引効果により効率的にイオンをグリルから放出することができる、という効果を奏する。
【００１８】
以下、本発明の実施の形態について図面を参照しながら説明する。
【００１９】
（実施の形態１）
図１〜１１に示すように、天井１００に本体１を埋め込み、天井１００からイオンを発生させるイオン発生装置に係るものであり、図１に示すように、本体１は円筒状を有しており、下方にはフランジ２を有し、フランジ２の下方には吸込口３と吹出口４を有するグリル５を設け、本体１の上方の天面６には、遠心ファンとしてターボファン７とターボファン７を回転させる電動機８を有し、電動機８を保持する天板９を天面６に設けたうえ、天板９の下方には電動機８に接続するターボファン７を組み込んで構成されている。
【００２０】
なお、電動機８は、直流（ＤＣ）でも交流（ＡＣ）でもどちらでも良い。
【００２１】
また、風路構造は、吸込口３の全周から室内の空気を吸い込み、オリフィス１０にかけて筒状の経路１１ａを通ってターボファン７に吸い込まれ、ターボファン７の全周に吹出し、オリフィス部の外側にある筒状の経路１１ｂを通り、グリル５の吹出口４の全周から室内へ排出される構造としている。
【００２２】
また、図２に示すように、本体１を天井１００へ固定するために取付金具１２を設け、本体１の外郭面１３の外側面凹部１４にあいた穴１５と取付金具１２にあいた長穴１６を貫通する金具専用ネジ１７の進む方向の先端には、固定ナット１８が設けられている。
【００２３】
金具専用ネジ１７を回転させることで、本体１の側面に設けた天井１００側を外側面凹部１４によって、回転方向の動きを規制された固定ナット１８が上下に移動し、取付金具１２を下方に移動させて、フランジ２と取付金具１２とで天井１００を挟みこんで本体１を天井１００に固定する（図４参照）こととなる。
【００２４】
また、図３に示すように、本体１の外郭面１３から内部に向かって凹んだ外側面凹部１４により本体１内の内側には内側面凸部１９が形成され、天面６から内側面凸部１９のグリル５側、すなわち内側面凸部１９の下方側先端に向かって内側面傾斜部２０が傾斜し形成される。
【００２５】
そのため、ターボファン７から吹出された空気がグリル５（図示せず）の吹出口４（図示せず）から室内へ吹き出す際に、本体１内の内側面凸部１９の段差が風の抵抗となることを防ぎ、天面６から内側面凸部１９のグリル５側に向かって内側面傾斜部２０に沿いながら流れるので、内側面凸部１９よる圧力損失を低減させ、風量特性や騒音特性を悪化させることを防ぐことができるとともに、内側面凸部１９と本体１との接合している空間に乱流がおきにくいため埃や異物が内側面凸部１９に溜り難い構造となる。
【００２６】
また、図４に示すように、天板９の上方に、電動機８およびイオンの発生を行う静電霧化手段２１をコントロールする制御基板（図示せず）を内部に納める制御回路ケース２２を有し、制御回路ケースカバー２３によって制御回路ケース２２を覆う構成としている。
【００２７】
図５に示すように、制御回路ケース２２内に、主に電源制御などを行う制御基板２４ａと、静電霧化手段２１を制御する制御基板２４ｂを収めており、静電霧化手段２１は静電霧化手段保持ケース２５に固定された状態で、制御回路ケース２２に固定される。
【００２８】
また、制御回路ケース２２と制御回路ケースカバー２３を難燃性樹脂で構成することにより、制御基板２４ａ、制御基板２４ｂなどの充電部からの発火が生じた場合でも延焼を防ぐことができる。
【００２９】
なお、静電霧化手段２１も同様に制御回路ケース２２と制御回路ケースカバー２３にて覆う構造としたため、延焼防止の対策を行う空間を限定することができ、合理的な安全性の対策を行うことができる。
【００３０】
図６に示すように、静電霧化手段２１の直下には例えば丸型のイオン吹出口２６があり、発生したイオンを吹き出す。
【００３１】
また、図６および図７に示すように、制御回路ケース２２のイオン吹出口２６の周辺には、本体１との嵌合部２７があり、また、本体１側にも制御回路ケース２２と合わさる部分に嵌合部２８を設け、制御回路ケース２２と制御回路ケースカバー２３が嵌合した状態で、本体１に固定され、全周に凹状を有した嵌合部２７と全周に突状を有した嵌合部２８とがオーバーラップして合わさり、イオンが通過する経路が形成される。
【００３２】
図８に示すように、イオン吹出口２６から吹き出されたイオンは本体１上部の嵌合部２７と嵌合部２８の間で本体１の周方向へ略直角に曲がり、そして、本体１内の外周部に設けた筒状のイオン風路部２９を通ってイオン排出口３０から排出される構造である。
【００３３】
図９に示すように、イオン風路部２９のイオン排出口３０に向かって、本体１の内側面にはイオン風路傾斜部３１が傾斜し形成され、イオン風路部２９を通るイオンはターボファン７によりイオン風路傾斜部３１に沿って吹出された空気に混流され室内へと排出される。
【００３４】
そのため、ターボファン７から吹出された空気がグリル５（図示せず）の吹出口４（図示せず）から室内へ吹き出す際にイオン排出口３０から吹き出されるイオンを誘引して室内に吹き出すので、イオン排出口３０から空気が逆流することを防ぐことができる。
【００３５】
また、逆流が生じないため、埃や異物においてもイオン風路部２９を通って静電霧化手段２１（図示せず）に侵入する恐れがない構造である。
【００３６】
このような構成とすることにより、本体１内のターボファン７から吹き出される空気が本体内側面に沿いながら流れるため、イオン風路部２９と本体１との接合している空間に乱流がおきにくいため風量特性や騒音特性を悪化させずに誘引効果により効率的にイオンをグリルから放出することができる。
【００３７】
さらに、イオン排出口３０を本体１の下面から見ておよそ対向上に配置することにより、グリル５から周方向に吹き出される室内へ供給する空気により均等に全周に拡散されて、つまり、室内の全周方向へイオンを供給することができる。
【００３８】
また、オリフィス１０の下面に円筒状の整流板３３を後から取り付けられるように設ける。
【００３９】
そうすることで、室内（図示せず）の空気は、グリル５の円状の吸込口３から円筒状の整流板３３とオリフィス１０との間を通ってターボファン７に吸い込まれるので、異なる方向からの吸込み空気が衝突などによって生じる抵抗を低減させることができるので、吸込み風量が増加し、必要風量を満たすために要する消費電力値を下げることができる。
【００４０】
また、円筒状の整流板３３の直径である整流板直径３４すなわち空気が通過しない箇所が電動機８の直径である電動機直径３２よりも長いこととする。望ましくは、吸い込み気流が支障を与えない程度直径の長さである。
【００４１】
電動機８から生じた音の一部は、円筒状の整流板３３の中心側の壁面である整流板中心側壁面３５に衝突し減衰し吸込口３から室内にでるので、減衰した分電動機８からの騒音を低減することができる。
【産業上の利用可能性】
【００４２】
本発明にかかるイオン発生装置は、天井に取り付け、風量特性と騒音特性を悪化させずにイオン供給を可能とするものであるので、イオンによってもたらすことができる効果や効能を居住空間等に供給することに有用であり、また、クローゼットやバス、トイレ、または倉庫などの非居住空間においても有用である。
【符号の説明】
【００４３】
１      本体
２      フランジ
３      吸込口
４      吹出口
５      グリル
６      天面
７      ターボファン
８      電動機
９      天板
１０    オリフィス
１２    取付金具
１３    外郭面
１４    外側面凹部
１９    内側面凸部
２０    内側面傾斜部
２１    静電霧化手段
２９    イオン風路部
３０    イオン排出口
３１    イオン風路傾斜部
３２    電動機直径
３３    整流板
３４    整流板直径
３５    整流板中心側壁面
１００  天井
【図１】
2014198227.tif 000003
【図２】
2014198227.tif 000004
【図３】
2014198227.tif 000005
【図４】
2014198227.tif 000006
【図５】
2014198227.tif 000007
【図６】
2014198227.tif 000008
【図７】
2014198227.tif 000009
【図８】
2014198227.tif 000010
【図９】
2014198227.tif 000011
【図１０】
2014198227.tif 000012
【図１１】
2014198227.tif 000013
【図１２】
2014198227.tif 000014
【図１３】
2014198227.tif 000015